(57)【要約】【課題】送受信動作を減らすことにより、ＰＣ　ＦＡＸジョブの送信終了までの時間を短縮する。【解決手段】画像を読取る画像読取部と、読取った画像情報を送受信する画像通信部と、該画像情報を記録する画像記録部とを有するファクシミリ装置において、前記画像通信部は、電気通信回路網を介してコンピュータと接続し、該コンピュータで作成した画像データを受信する手段と、前記画像データを送信先へ送信する手段とを有し、該コンピュータをマウントすることにより、該コンピュータから直接送信先へ送信する手段を有する。【選択図】　　　　図１
2004048509.tif 000002
【特許請求の範囲】
【請求項１】
画像を読取る画像読取部と、
読取った画像情報を送受信する画像通信部と、
該画像情報を記録する画像記録部とを有するファクシミリ装置において、
前記画像通信部は、電気通信回路網を介してコンピュータと接続し、該コンピュータで作成した画像データを受信する手段と、
前記画像データを送信先へ送信する手段とを有し、
該コンピュータをマウントすることにより、該コンピュータから直接送信先へ送信する手段を有することを特徴とするファクシミリ装置。
【請求項２】
前記電気通信回路網上には、複数のユーザーからアクセス可能な共有フォルダを有し、
前記ファクシミリ装置は、該共有フォルダにマウントする制御手段と、
マウントした該共有フォルダに前記画像データを転送する転送手段と、
転送した前記画像データを該共有フォルダ内のファイルに保存する保存手段とを有することを特徴とする請求項１記載のファクシミリ装置。
【請求項３】
前記制御手段は、受信文書の相手先によりマウントする共有フォルダを変更する手段を有することを特徴とする請求項２記載のファクシミリ装置。
【請求項４】
前記保存手段は、ファイル名を受信文書の相手先名称と受信時刻の意味を持つことを特徴とする請求項２または３記載のファクシミリ装置。
【請求項５】
マウントする共有ファイルは、ＳＭＢ（Ｓｅｒｖｅｒ　Ｍｅｓｓａｇｅ　Ｂｌｏｃｋ）を使用することを特徴とする請求項２から４のいずれか１項に記載のファクシミリ装置。
【発明の詳細な説明】
【０００１】
【発明の属する技術分野】
本発明は、ＬＡＮなどの電子通信回路網を介してＰＣとインターネット機能を有するファクシミリ装置に関する。
【０００２】
【従来の技術】
最近、組み込みの機器は高性能な動作を要求されているが、コストダウンへの要求も強くなっている。そのため、ＦｒｅｅのＵＮＩＸ（登録商標）（Ｌｉｎｕｘなど）を使用したソフト構成が増えている。ＯＳの機能が使用できるだけでなく、ドライバ（ＴＣＰ／ＩＰなど）のソフトも簡単に搭載できるメリットがある。ＵＮＩＸ（登録商標）はＬＡＮの通信に強く、また流用できるソフトが入手しやすいメリットがある。また、ＵＮＩＸ（登録商標）にはＮＦＳ（Ｎｅｔｗｏｒｋ　ＦｉｌｅＳｙｓｔｅｍ　）という機能がある。ＮＦＳはＵＮＩＸ（登録商標）間でディスクの共有を実現するための仕組みで一般的に知られている。
【０００３】
また、ＬＡＮ機能を組み込んだファクシミリ装置が増えてきている。ファクシミリ装置にはＰＣ　ＦＡＸという機能があり、ＰＣからの操作で、ＰＣで作成した文書をＦＡＸ送信、メール送信することが出来る。
【０００４】
特開２０００−２９９７５７号広報の「通信装置及び通信システム」では、自装置のメモリ容量に制限されることなく効率的に受信画像データをネットワーク上に蓄積・配信することが可能な通信装置及び通信システムを提供する技術が開示されている。
【０００５】
【発明が解決しようとする課題】
ＰＣ　ＦＡＸ機能は、ＰＣからファクシミリ装置等の通信装置に画情報を転送し、該通信装置が指定の宛先に転送するので、画情報の通信が２回行われていた。図９は、従来のファクシミリ装置におけるファクシミリ送信動作の一実施例を示す図であり、図１０はその送信動作の処理手順を示すフローチャートである。ＰＣ２０からＰＣ　ＦＡＸ機能を用いて送信依頼を受けると（ステップＳ１０１）、ファクシミリ装置２１はＰＣ２０から画情報を受信し（ステップＳ１０２）、Ｇ３、Ｇ４送信であれば（ステップＳ１０３でＹｅｓ）、ファクシミリ装置２２でファクシミリ送信をし（ステップＳ１０４）、Ｇ３、Ｇ４送信でなければ（ステップＳ１０３でＮｏ）、ＰＣ２３にメールを送信し（ステップＳ１０５）、画情報を送信する（ステップＳ１０６）。
【０００６】
また、該通信装置は、ＬＡＮ上のフォルダに蓄積画像や受信画像を送信する機能を有している。図１１は従来の蓄積画像や受信画像を送信する際の一実施例を示す図であり、図１２は、その送信動作の処理手順を示すフローチャートである。ファクシミリ装置２２もしくはＰＣ２３から送信依頼があると（ステップＳ１２１）、指定されたフォルダへの送信設定がファクシミリ装置２１に登録してある場合、画情報を受信し（ステップＳ１２２）受信画像をフォルダへ送信し（ステップＳ１２３）、画情報を送信していた（ステップＳ１２４）この場合も、受信動作とフォルダへの送信動作の２回通信を行っていた。
【０００７】
特開２０００−２９９７５７号公報では、受信時に通信装置のメモリに一旦展開してＮＦＳサーバに配信する技術が開示されているが、一旦展開することによって時間がかかってしまう。
【０００８】
本発明は、上記事情に鑑みてなされたものであり、送受信動作を減らすことにより、ＰＣ　ＦＡＸジョブの送信終了までの時間を短縮することを目的とする。
【０００９】
また、マウント先のフォルダにセーブすることにより、フォルダへの送信終了までの時間を短縮することを目的とする。
【００１０】
また、受信文書の相手先によりマウント先を変更することによって、セキュリティレベルの設定を上げるを目的とする。
【００１１】
また、記憶しているファイルの管理を容易にすることを目的とする。
【００１２】
また、ネットワーク上でフォルダを共有するサービス（プロトコル）を増やすことで、フォルダを使用できる環境を増やすことを目的とする。
【００１３】
【課題を解決するための手段】
かかる目的を達成するために、請求項１記載の発明は、画像を読取る画像読取部と、読取った画像情報を送受信する画像通信部と、該画像情報を記録する画像記録部とを有するファクシミリ装置において、前記画像通信部は、電気通信回路網を介してコンピュータと接続し、該コンピュータで作成した画像データを受信する手段と、前記画像データを送信先へ送信する手段とを有し、該コンピュータをマウントすることにより、該コンピュータから直接送信先へ送信する手段を有することを特徴としている。
【００１４】
請求項２記載の発明は、請求項１記載の発明において、前記電気通信回路網上には、複数のユーザーからアクセス可能な共有フォルダを有し、前記ファクシミリ装置は、該共有フォルダにマウントする制御手段と、マウントした該共有フォルダに前記画像データを転送する転送手段と、転送した前記画像データを該共有フォルダ内のファイルに保存する保存手段とを有することを特徴としている。
【００１５】
請求項３記載の発明は、請求項２記載の発明において、前記制御手段は、受信文書の相手先によりマウントする共有フォルダを変更する手段を有することを特徴としている。
【００１６】
請求項４記載の発明は、請求項２または３記載の発明において、前記保存手段は、ファイル名を受信文書の相手先名称と受信時刻の意味を持つことを特徴としている。
【００１７】
請求項５記載の発明は、請求項２から４のいずれか１項に記載の発明において、マウントする共有ファイルは、ＳＭＢ（Ｓｅｒｖｅｒ　Ｍｅｓｓａｇｅ　Ｂｌｏｃｋ）を使用することを特徴としている。
【００１８】
【発明の実施の形態】
以下、本発明の実施の形態を添付図面を参照しながら詳細に説明する。
【００１９】
図１は、本発明の実施の形態におけるファクシミリ装置の構成を示すブロック図である。図１のファクシミリ装置は、原稿センサ１と、用紙センサ２と、バッテリ３と、スキャナ４と、プロッタ５と、操作表示部６と、画像メモリ７と、パラメータメモリ８と、時計回路９と、通信制御部１０と、符号化複合化部１１と、ＣＰＵ１２と、ＲＯＭ１３と、ＲＡＭ１４と、キャラクタジェネレータ１５と、モデム１６と、網制御部１７と、ＬＡＮ　Ｉ／Ｆ１８とを有し構成されている。
【００２０】
原稿センサ１は、原稿があるか検知し、原稿ＪＡＭなどを調べる。用紙センサ２は、用紙が装置のどの位置にあるか、また用紙ＪＡＭを調べる。バッテリ３は、電話番号、相手先の名前などを記憶するためにＲＡＭをバックアップする。スキャナ４は、原稿画像を読取って画情報を取り出す。プロッタ５は、画情報を記録する。操作表示部６は、装置の状態や、操作ガイダンスを表示するとともに、装置に対する各種操作を行う。画像メモリ７は、画像データを蓄積するのに使用する。パラメータメモリ８は、電話番号などのパラメータを蓄積する。時計回路９は、送信などに使用する。通信制御部１０は、網制御部１７とモデム１６を制御して所定の伝送制御手順により、ファクシミリ通信を行う。符号化複合化部１１は、送信するが情報の符号化、受信した文書の復号化を行う。ＣＰＵ１２は、各部を制御してファクシミリ装置の所定の動作を実行する。ＲＯＭ１３は、ファクシミリ装置の動作に必要なプログラムが格納されている。ＲＡＭ１４は、プログラムを動作させる上で必要なデータを格納する。キャラクタジェネレータ１５は、英・数・カナ・記号および漢字などの各文字フォントデータを記憶している。モデム１６は、画情報を変復調して伝送するとともに、伝送制御手順における各種手順信号を伝送する。網制御部１７は、回線の補足、発信先電話番号である選択信号の送出、着信の検出などにより、所定の発呼動作および着信動作を行う。ＬＡＮ　Ｉ／Ｆ部１８は、ＬＡＮとのデータをやり取りする。
【００２１】
図２は、本発明のファクシミリ装置におけるファクシミリ送信動作の一実施例を示す図であり、図３は、本発明のファクシミリ装置におけるファクシミリ送信動作の処理手順を示すフローチャートである。本実施例においてのＰＣは、例えばＩＢＭ互換機、Ｗｉｎｄｏｗｓ（登録商標）、ＰＣ−Ｕｎｉｘ（登録商標）などが考えられる。ＰＣ２０からファクシミリ装置２１にＰＣ　ＦＡＸ送信依頼をする（ステップＳ３１）。ファクシミリ装置２１は、依頼されたＰＣ２１のフォルダをマウントする（ステップＳ３２）。フォルダはＰＣ２１側で依頼時に指定しても良いし、固定で決められた名前にしても良い。マウントすることでファクシミリ装置２１端末に直接接続しているディスクの様に使用することが可能になる。マウントが出来れば、Ｇ３、Ｇ４送信であれば（ステップＳ３３でＹｅｓ）、ファクシミリ装置２２にファクシミリを送信し、Ｇ３、Ｇ４送信でなければ（ステップＳ３３でＮｏ）、ＰＣ２３にメールを送信し（ステップＳ３５）、マウント先のフォルダにある画情報を読み出し送信する（ステップＳ３６）。こうすることで、送信動作終了までの時間が短くなるだけでなく、ファクシミリ装置２１側の画情報エリアを使用しないため、コストが安くできる。また、メモリオーバーになることもない。
【００２２】
図４は、本発明のファクシミリ装置における蓄積画像や受信画像を送信する際の一実施例を示す図であり、図５は、本発明のファクシミリ装置における蓄積画像や受信画像を送信する際の処理手順を示すフローチャートである。ファクシミリ装置２２もしくはＰＣ２３から受信があった時、フォルダに送信する設定になっている場合、フォルダに送信依頼があり（ステップＳ５１）、ＰＣ２１のフォルダをマウントする（ステップＳ５２）。受信画像はマウントしたフォルダに保存する（ステップＳ５３）。受信画像を保存することでＰＣ２１のフォルダに保存されるため、通信時間が短く出来る。また、大きな画像でもメモリオーバーすることはない。また、ファクシミリ装置２１にメモリを必要としないためコストが安く済む。受信画像、蓄積画像を一時的に展開して保存する必要がある場合は、共有フォルダに一時的なファイルを作成して使用する。こうすることで、ファクシミリ装置２１端末のＲＡＭを使用しないため、受信ファイルのサイズ制約が無くなる。
【００２３】
また、一旦ファクシミリ装置２１の画像メモリに蓄積後、共有フォルダ（ＮＦＳのフォルダ）に転送すると、受信、転送の２回通信が必要になるため、ジョブの終了まで時間がかかる。そのため、受信しながら共有フォルダに画像の保存をする方が短時間に処理が出来る。
【００２４】
図６は、受信文書の相手先によりマウント先を変更する際の処理動作を示す図であり、図７は、受信文書の相手先によりマウント先を変更する際の処理手順を示すフローチャートである。フォルダへの送信依頼がされている時（ステップＳ７１）に受信した相手先により、マウントするフォルダを変更して受信画像を保存する。相手先によりフォルダを変更することで画像の仕分けを自動でできる（ステップＳ７２）。セキュリティが高いなどの特定相手先の場合は（ステップＳ７２でＹｅｓ）、相手ごとに設定したＰＣをマウントし（ステップＳ７３）、特定相手先でなければ（ステップＳ７２でＮｏ）、その場合のＰＣをマウントし（ステップＳ７４）、画像をマウント先のフォルダに受信する（ステップＳ７５）。ファクシミリの場合は、相手のＣＳＩやＴＩＤにより相手先を知ることが出来る。また、メールの場合はＦｒｏｍアドレスなどにより相手先を知ることが出来る。マウント先の指定はファクシミリ装置２１のファンクションから指定する。
【００２５】
ここで、図８のように、保存するファイル名に相手先名や日時を使用すると、ファイル名を調べることで、これらの情報が分かる。ファイル名にするパターンはファンクションから選べるようにすることも考えられる。図８は、ファイル名を相手先名称と受信時刻にした場合のファイル名の一例を示す図である。
【００２６】
また、ＮＦＳを使用してフォルダを共有するのではなく、ＳＭＢを使用する。ＳＭＢとはＷｉｎｄｏｗｓ（登録商標）ＮＴやＷｉｎｄｏｗｓ（登録商標）９５／９８などでネットワークを通じてファイル共有やプリンタ共有を実現するプロトコルである。ＳＭＢを使用することで多くのクライアントに対応することが出来る。
【００２７】
また、フォルダは、ＩＢＭ互換機、ＰＣ−Ｕｎｉｘ（登録商標）などではディレクトリと呼ばれる。よって、本発明でのフォルダとは、ＩＢＭ互換機、ＰＣ−Ｕｎｉｘ（登録商標）などではディレクトリのことを意味する。
【００２８】
【発明の効果】
以上の説明から明らかなように、本発明によれば、ネットワーク上のフォルダをマウントすることで、送信に必要な画情報をオープンすることが出来る。そのため、ＰＣからファクシミリ装置へ画情報の転送動作が不要になり、ジョブ起動から送信までの時間が短くなる。また、ファクシミリ装置端末の画像用ＲＡＭ（ディスク）エリアを使用しないため、端末のコストを安く出来る。
【００２９】
また、本発明によれば、保存先のネットワーク上のフォルダをマウントすることで、端末にセーブする処理と同じ動作で保存することが出来る。そのため、ファクシミリ装置からＰＣへの送信動作が不要になり、受信から送信終了までの時間が短くなる。また、ファクシミリ装置端末の画像用ＲＡＭ（ディスク）エリアを使用しないため、端末のコストを安く出来る。
【００３０】
また、本発明によれば、受信時の相手先によりマウントする先を変えるため、区別したい受信画像の保存を自動で行える。セキュリティレベルを上げることができる。
【００３１】
また、本発明によれば、保存したファイル名称を工夫することで特別な処理（ビューアーを使う、リストを出力するなど）をしなくても、ファイルの内容が分かる。
【００３２】
また、本発明によれば、ＮＦＳだけでなくＳＭＢにも対応することで幅広いユーザーの環境に対応することが出来る。
【図面の簡単な説明】
【図１】本発明の実施の形態におけるファクシミリ装置の構成を示すブロック図である。
【図２】本発明のファクシミリ装置におけるファクシミリ送信動作の一実施例を示す図である。
【図３】本発明のファクシミリ装置におけるファクシミリ送信動作の処理手順を示すフローチャートである。
【図４】本発明のファクシミリ装置における蓄積画像や受信画像を送信する際の一実施例を示す図である。
【図５】本発明のファクシミリ装置における蓄積画像や受信画像を送信する際の処理手順を示すフローチャートである。
【図６】受信文書の相手先によりマウント先を変更する際の処理動作を示す図である。
【図７】受信文書の相手先によりマウント先を変更する際の処理手順を示すフローチャートである。
【図８】ファイル名を相手先名称＋時間にした場合のファイル名の一例を示す図である。
【図９】従来のファクシミリ装置におけるファクシミリ送信動作の一実施例を示す図である。
【図１０】従来のファクシミリ装置におけるファクシミリ送信動作の処理手順を示すフローチャートである。
【図１１】従来のファクシミリ装置における蓄積画像や受信画像を送信する際の一実施例を示す図である。
【図１２】従来のファクシミリ装置における蓄積画像や受信画像を送信する際の処理手順を示すフローチャートである。
【符号の説明】
２０、２３、２４　ＰＣ
２１、２２　ファクシミリ装置
【図１】
2004048509.tif 000003
【図２】
2004048509.tif 000004
【図３】
2004048509.tif 000005
【図４】
2004048509.tif 000006
【図５】
2004048509.tif 000007
【図６】
2004048509.tif 000008
【図７】
2004048509.tif 000009
【図８】
2004048509.tif 000010
【図９】
2004048509.tif 000011
【図１０】
2004048509.tif 000012
【図１１】
2004048509.tif 000013
【図１２】
2004048509.tif 000014